(57)【特許請求の範囲】
【請求項１】
シート・クッション形状を保つシート・クッション・フレームと、張られた状態でそのシート・クッション・フレームに着座面を形成するネットと、表皮材、ワディング材、および力布を重ね合わせて作られ、そのシート・クッション・フレームのフレーム・フロントおよび両フレーム・サイドに対応してそのネットの外周縁に縫い付けられ、そして、そのフレーム・フロントおよび両フレーム・サイドに巻き付け可能にするネット端末止め帯と、そのネットの裏面側でそのネット端末側に一方の務歯の耳布を、そのネット端末止め帯の長さ方向でそのネット端末止め帯の自由端縁に他方の務歯の耳布をそれぞれ縫い付けるファスナとで構成され、そして、そのシート・クッション・フレームにそのネット端末の止め帯を巻き付け、そのファスナでそのシート・クッション・フレームにそのネット端末止め帯を止めてそのシート・クッション・フレームにそのネットを張るところのシート・クッション。
【請求項２】
シート・クッション形状を保つシート・クッション・フレームと、張られた状態でそのシート・クッション・フレームに着座面を形成するネットと、フレーム・サイドに対応するそのネットの外周縁に縫い付けられ、そして、長さ方向の自由端縁にワイヤ・フックを取り付ける帯状力布と、表皮材、およびワディング材を重ね合わせて作られ、その帯状力布の上に重ねられてそのシート・クッション・フレームのそのフレーム・フロントおよび両フレーム・サイドに対応してそのネットのその外周縁に縫い付けられ、そして、その帯状力布の上からでそのフレーム・フロントおよび両フレーム・サイドに巻き付け可能にする帯状の表フレーム・カバーと、そのネットの裏面でそのネットのその外周縁寄りに縫い付けられる帯状の裏フレーム・カバーと、長さ方向においてその表フレーム・カバーの自由端縁に一方の務歯の耳布を、長さ方向においてその裏フレーム・カバーの自由端縁に他方の務歯の耳布をそれぞれ縫い付けるファスナとで構成され、そして、そのフレーム・フロントおよび両フレーム・サイドにその帯状力布を巻き付け、そのワイヤ・フックでフレーム・ワイヤにその帯状力布を止めてそのシート・クッション・フレームにそのネットを張り、そして、その帯状力布の上からでそのフレーム・フロントおよび両フレーム・サイドにその表フレーム・カバーを巻き付けてそのファスナでその裏フレーム・カバーにその表フレーム・カバーを止めるところのシート・クッション。
【発明の詳細な説明】
【０００１】
【発明の関係する分野】
この発明は、自動車の跳上げシートに使用されるシート・クッションに関し、特に、自動車のサード・シートに適するシート・クッションに関する。
【０００２】
【背景技術】
最近のレクリエーショナル・ビーグルでは、サード・シートが跳上げ可能なネット張りシート・クッションを活用する傾向にある。そのネットはそれのネット端末に細長い樹脂プレートを溶接し、そして、その樹脂プレートでパイプ・フレームにねじ止めされる。ところが、そのネットにテンションがかかるので、その樹脂プレートはねじ止め箇所が多くなって作業性が悪い。また、シート・クッションは跳ね上げられると、そのネットおよび表皮の縫い代がそのシート・クッションの裏面に見えて見映えが損なわれる。
【０００３】
【発明の課題】
この発明の課題は、ネット張りの作業性を向上でき、そして、ネットおよび表皮などの縫い代を隠して跳ね上げ状態で見映えを向上するところのシート・クッションの提供にある。
【０００４】
【課題に相応する手段およびそれの作用】
この発明は、シート・クッション形状を保つシート・クッション・フレームと、張られた状態でそのシート・クッション・フレームに着座面を形成するネットと、表皮材、ワディング材、および力布を重ね合わせて作られ、そのシート・クッション・フレームのフレーム・フロントおよび両フレーム・サイドに対応してそのネットの外周縁に縫い付けられ、そして、そのフレーム・フロントおよび両フレーム・サイドに巻き付け可能にするネット端末止め帯と、そのネットの裏面側でそのネット端末側に一方の務歯の耳布を、そのネット端末止め帯の長さ方向でそのネット端末止め帯の自由端縁に他方の務歯の耳布をそれぞれ縫い付けるファスナとで構成され、そして、そのシート・クッション・フレームにそのネット端末の止め帯を巻き付け、そのファスナでそのシート・クッション・フレームにそのネット端末止め帯を止めてそのシート・クッション・フレームにそのネットを張る。
【０００５】
【具体例の説明】
以下、特定されて図示された具体例に基づいて、この発明のシート・クッションを説明するに、図１および図２は、跳上げシート・クッションに具体化され、そして、レクリエーショナル・ビーグルにも使える軽ワゴンにおいてサード・シートに活用されるところのこの発明のシート・クッションの具体例１０を示し、そして、この発明の跳上げシート・クッション１０では、シート・クッション・フレーム１１が、パイプ・フレームで連続的に折り曲げられたフレーム・フロント１２および両フレーム・サイド１３、１３、そして、コーナ・プレート１５、１５でその両フレーム・サイド１３、１３のリア・エンド間に溶接されたフレーム・リア１４で組み立てられてそのシート・クッション１０の形状を保ち、また、ネット１６が、張った状態でそのシート・クッション・フレーム１１に収まる外形寸法に作られ、そして、張られた状態でそのシート・クッション・フレーム１１に着座面１７を形成し、さらに、ネット端末止め帯１８が、表皮材１９、ワディング材２０、および力布２１を重ね合わせて作られ、そのシート・クッション・フレーム１１のそのフレーム・フロント１２および両フレーム・サイド１３、１３に対応してそのネット１６の外周縁に縫い付けられ、そして、そのフレーム・フロント１２および両フレーム・サイド１３、１３に巻き付け可能にされ、またさらに、ファスナ２２が、そのネット１６の裏面側でそのネット端末側に一方の務歯２３の耳布２５を、そのネット端末止め帯１８の長さ方向でそのネット端末止め帯１８の自由端縁に他方の務歯２４の耳布２６をそれぞれ縫い付ける。
【０００６】
そのファスナ２２はスライダ（図示せず）でその一方の務歯２３をその他方の務歯２４にかみ合わせ、また、外される通常の樹脂ファスナが使用され、そして特に、その一方の務歯２３のその耳布２５が、そのネット１６とそのネット端末止め帯１８との縫い合わせ箇所に縫い付けられている。
【０００７】
したがって、このシート・クッション１０では、予め、そのネット１６とそのネット端末止め帯１８とが互いに縫い合わせられ、また、そのファスナ２２がそのネット１６およびネット端末止め帯１８に縫い付けられるので、そのファスナ２２と外した状態でそのネット１６およびネット端末止め帯１８を広げてそのシート・クッション・フレーム１１上に置く。次に、そのシート・クッション・フレーム１１にそのネット端末止め帯１８を巻き付け、そして、そのファスナ２２がそのスライダで締められると、そのネット端末止め帯１８がそのシート・クッション・フレーム１１に止められてそのネット１６がそのシート・クッション・フレーム１１に張られる。
【０００８】
そのようにして、そのシート・クッション１０は、ネット張りの作業を簡単にできてそのネット張りの作業性を向上させ、また、そのネット１６およびネット端末止め帯１８の縫い代やそのシート・クッション・フレーム１１が隠されて跳上げ状態で見映えが向上される。
【０００９】
図３および図４は、跳上げシート・クッションに改善されて具体化され、そして、レクリエーショナル・ビーグルにも使える軽ワゴンにおいてサード・シートに活用されるところのこの発明のシート・クッションの具体例３０を示し、そして、この発明の跳上げシート・クッション１０では、シート・クッション・フレーム１１が、パイプ・フレームで連続的に折り曲げられたフレーム・フロント１２および両フレーム・サイド１３、１３、そして、コーナ・プレート１５、１５でその両フレーム・サイド１３、１３のリア・エンド間に溶接されたフレーム・リア１４で組み立てられてそのシート・クッション１０の形状を保ち、また、ネット１６が、張った状態でそのシート・クッション・フレーム１１に収まる外形寸法に作られ、そして、張られた状態でそのシート・クッション・フレーム１１に着座面１７を形成し、さらに、帯状力布３２が、そのシート・クッション・フレーム１１のフレーム・フロント１２および両フレーム・サイド１３、１３に対応してそのネット１６の外周縁に縫い付けられ、そして、長さ方向の自由端縁にワイヤ・フック３３を取り付け、またさらに、帯状の表フレーム・カバー３４が、表皮材３５およびワディング材３６を重ね合わせて作られ、その帯状力布３２の上に重ねられてそのシート・クッション・フレーム１１のそのフレーム・フロント１２および両フレーム・サイド１３、１３に対応してそのネット１６のその外周縁に縫い付けられ、そして、その帯状力布３２の上からでそのフレーム・フロント１２および両フレーム・サイド１３、１３に巻き付け可能にされ、さらには、帯状の裏フレーム・カバー３７が、そのネット１６の裏面でそのネット１６のその外周縁よりに縫い付けられ、さらにまた、ファスナ２２が、長さ方向においてその表フレーム・カバー３４の自由端縁に一方の務歯２３の耳布２５を、長さ方向においてその裏フレーム・カバー３７の自由端縁に他方の務歯２４の耳布２６をそれぞれ縫い付ける。
【００１０】
したがって、このシート・クッション３０では、予めそのネット１６、帯状力布３２、および帯状の表フレーム・カバー３４が、縫い合わせられ、また、その帯状の裏フレーム・カバー３７が、そのネット１６に縫い付けられ、さらに、そのファスナ２２が、そのネット１６および表フレーム・カバー３４に縫い付けられるので、そのファスナ２２を外した状態でそのネット１６、帯状力布３２、および表フレーム・カバー３４を広げ、そして、その裏フレーム・カバー３７を垂れ下げてそのシート・クッション・フレーム１１上に置く、次に、そのシート・クッション・フレーム１１にその帯状力布を巻き付け、そのワイヤ・フック３３でフレーム・ワイヤ３１にその帯状力布３２を止めてそのシート・クッション・フレーム１１にそのネット１６を張る。それから、その帯状力布３２の上からでそのシート・クッション・フレーム１１にその表フレーム・カバー３４を巻き付け、そのスライダ（図示せず）でそのファスナ２２を締め付けてその表フレーム・カバー３４にその裏フレーム・カバー３７に止める。
【００１１】
そのようにして、そのシート・クッション３０は、ネット張りの作業が簡単にできてそのネット張りの作業性を向上させ、また、そのネット１６、帯状力布３２、および表フレーム・カバー３２の縫い代やそのシート・クッション・フレーム１１、そして、その帯状力布３２やそのワイヤ・フック３３などがその表フレーム・カバー３４および裏フレーム・カバー３７で隠されて跳上げ状態で見映えが向上される。
【００１２】
そのシート・クッション３０では、その帯状の表フレーム・カバー３４が幅広にされると、その帯状の裏フレーム・カバー３７は省かれる。その場合、そのファスナ２２のその他方の務歯２４のその耳布２６はそのネット１６の裏面でそのネット１６のその外周縁寄りに縫い付けられる。
【００１３】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１４】
上述から理解されるようにこの発明のシート・クッションは、シート・クッション形状を保つシート・クッション・フレームと、張られた状態でそのシート・クッション・フレームに着座面を形成するネットと、表皮材、ワディング材、および力布を重ね合わせて作られ、そのシート・クッション・フレームのフレーム・フロントおよび両フレーム・サイドに対応してそのネットの外周縁に縫い付けられ、そして、そのフレーム・フロントおよび両フレーム・サイドに巻き付け可能にするネット端末止め帯と、そのネットの裏面側でそのネット端末側に一方の務歯の耳布を、そのネット端末止め帯の長さ方向でそのネット端末止め帯の自由端縁に他方の務歯の耳布をそれぞれ縫い付けるファスナとで構成されるので、この発明のシート・クッションでは、そのネットがそのシート・クッション・フレームに簡単に張られてそのネット張りの作業性が向上され、そして、そのネットおよびネット端末止め帯の縫い代やそのシート・クッション・フレームが隠されて跳上げ状態で見映えが向上され、その結果、自動車シート、特に、レクリエーショナル・ビーグルやワゴンなどにとって非常に有用で実用的である。
【図面の簡単な説明】
【図１】跳上げシート・クッションに具体化され、そして軽ワゴンにおいてサード・シートに活用されるところのこの発明のシート・クッションの具体例を示した平面図である。
【図２】図１の２−２線に沿って示した断面図である。
【図３】改善された跳上げシート・クッションに具体化され、そして、軽ワゴンにおいてサード・シートに活用されるところのこの発明のシート・クッションの具体例を示した平面図である。
【図４】図３の４−４線に沿って示した断面図である。
【符号の説明】
１１  シート・クッション・フレーム
１２  フレーム・フロント
１３  フレーム・サイド
１４  フレーム・リア
１６  ネット
１７  着座面
１８  ネット端末止め帯
１９  表皮材
２０  ワディング材
２１  力布
２２  ファスナ
２３  一方の務歯
２４  他方の務歯
２５  耳布
２６  耳布
３２  帯状力布
３３  ワイヤ・フック
３４  帯状の表フレーム・カバー
３５  表皮材
３６  ワディング材
３７  帯状の裏フレーム・カバー
【図１】
0004779158.tif 000002
【図２】
0004779158.tif 000003
【図３】
0004779158.tif 000004
【図４】
0004779158.tif 000005